(57)【要約】【課題】  外部衝撃によるディスクの記録面の損傷，およびヘッド支持部の変形を防止可能な情報記憶装置のヘッドパーキング用ランプを提供する。【解決手段】  読み取り／書き込みヘッドを，ディスク２０から外れた位置にパーキングさせるための情報記憶装置のヘッドパーキング用ランプ１００において，ベース部材１０に固設される固定部１１０と，上記固定部から上記ディスク側に延長形成された延長部１３０と，を備え，上記延長部には，上記延長部のディスク対向面それぞれの，上記ディスクのエッジ部と対応する位置に突出形成され，上記ディスクの振動時に，上記ディスクのエッジ部が接触することによって，上記ディスクの振動を制限する突出面１３５が設けられたことを特徴とする，情報記憶装置のヘッドパーキング用ランプが提供される。【選択図】    図７
2006012405.tif 000002
【特許請求の範囲】
【請求項１】
読み取り／書き込みヘッドを，ディスクから外れた位置にパーキングさせるための情報記憶装置のヘッドパーキング用ランプにおいて：
ベース部材に固設される固定部と；
前記固定部から前記ディスク側に延長形成され，その先端部が前記ディスクの外周部の上面と底面それぞれに空間を隔ててオーバーラップされ，前記ディスクの上面と底面それぞれに対向するディスク対向面を有した延長部と；
を備え，
前記延長部には，
前記延長部のディスク対向面それぞれの，前記ディスクのエッジ部と対応する位置に突出形成され，前記ディスクの振動時に，前記ディスクのエッジ部が接触することによって，前記ディスクの振動を制限する突出面が設けられたことを特徴とする，情報記憶装置のヘッドパーキング用ランプ。
【請求項２】
前記突出面は，傾斜面からなることを特徴とする，請求項１に記載の情報記憶装置のヘッドパーキング用ランプ。
【請求項３】
前記突出面は，前記ディスクのエッジ部に向かった凸曲面からなることを特徴とする，請求項１に記載の情報記憶装置のヘッドパーキング用ランプ。
【請求項４】
前記ディスクのエッジ部には，面取りが形成されたことを特徴とする，請求項２または３に記載の情報記憶装置のヘッドパーキング用ランプ。
【請求項５】
前記固定部から前記ディスク側に延長形成されて，前記ヘッドが装着されたアクチュエータの端部を支持する支持部をさらに備えることを特徴とする，請求項１に記載の情報記憶装置のヘッドパーキング用ランプ。
【請求項６】
前記支持部の支持面の先端部は，傾斜していることを特徴とする，請求項５に記載の情報記憶装置のヘッドパーキング用ランプ。
【請求項７】
読み取り／書き込みヘッドを，ディスクから外れた位置にパーキングさせるための情報記憶装置のヘッドパーキング用ランプにおいて：
ベース部材に固設される固定部と；
前記固定部から前記ディスク側に延長形成され，その先端部が前記ディスクの外周部の上面と底面それぞれに空間を隔ててオーバーラップされ，前記ディスクの上面と底面それぞれに対向するディスク対向面を有した延長部と；
を備え，
前記延長部には，
前記延長部のディスク対向面と前記ディスクのエッジ部との間に，前記ディスク対向面と前記ディスクそれぞれから所定間隔隔てて配置され，前記ディスクの振動時に，前記ディスクのエッジ部が接触することによって，前記ディスクの振動を制限し，衝撃を吸収する緩衝突起が設けられたことを特徴とする，情報記憶装置のヘッドパーキング用ランプ。
【請求項８】
前記緩衝突起は，前記延長部から前記ディスク対向面と平行かつ板状に突き出ることを特徴とする，請求項７に記載の情報記憶装置のヘッドパーキング用ランプ。
【請求項９】
前記緩衝突起は，板スプリングの機能を有していることを特徴とする，請求項８に記載の情報記憶装置のヘッドパーキング用ランプ。
【請求項１０】
前記緩衝突起のディスク対向面は，傾斜面からなることを特徴とする，請求項７に記載の情報記憶装置のヘッドパーキング用ランプ。
【請求項１１】
前記固定部から前記ディスク側に延長形成されて，前記ヘッドが装着されたアクチュエータの端部を支持する支持部をさらに備えることを特徴とする，請求項７に記載の情報記憶装置のヘッドパーキング用ランプ。
【請求項１２】
前記支持部の支持面の先端部は，傾斜していることを特徴とする，請求項１１に記載の情報記憶装置のヘッドパーキング用ランプ。
【請求項１３】
読み取り／書き込みヘッドを，ディスクから外れた位置にパーキングさせるための情報記憶装置のヘッドパーキング用ランプにおいて：
ベース部材に固設される固定部と；
前記固定部から前記ディスク側に延長形成され，その先端部が前記ディスクの外周部の上面と底面それぞれに空間を隔ててオーバーラップされ，前記ヘッドが装着されたアクチュエータの端部を支持する支持面，および前記ディスクの上面と底面それぞれに対向するディスク対向面を有した支持部と；
を備え，
前記支持部には，
前記支持部のディスク対向面と前記ディスクのエッジ部との間に，前記ディスク対向面と前記ディスクそれぞれから所定間隔隔てて配置され，前記ディスクの振動時に，前記ディスクのエッジ部が接触することによって，前記ディスクの振動を制限して衝撃を吸収する緩衝突起が設けられたことを特徴とする，情報記憶装置のヘッドパーキング用ランプ。
【請求項１４】
前記緩衝突起は，前記支持部から前記ディスク対向面と平行かつ板状に突き出ることを特徴とする，請求項１３に記載の情報記憶装置のヘッドパーキング用ランプ。
【請求項１５】
前記緩衝突起は，板スプリングの機能を有していることを特徴とする，請求項１４に記載の情報記憶装置のヘッドパーキング用ランプ。
【請求項１６】
前記緩衝突起のディスク対向面は，傾斜面からなることを特徴とする，請求項１３に記載の情報記憶装置のヘッドパーキング用ランプ。
【請求項１７】
ヘッドパーキングランプシステムにおいて：
外側エッジ部に面取りが形成されたディスクと；
ベース部材に固設される固定部と；
前記固定部から前記ディスク側に延長形成され，前記ヘッドが装着されたアクチュエータの端部を支持する支持部と；
前記固定部から前記ディスク側に延長形成され，その先端部が前記ディスクの外周部の上面と底面それぞれに空間を隔ててオーバーラップされ，前記ディスクの上面と底面それぞれに対向するディスク対向面を有した延長部と；
前記延長部のディスク対向面のそれぞれに，前記ディスクのエッジ部に近接するように形成されたディスクエッジ衝突吸収面と；
を備えることを特徴とする，ヘッドパーキングランプシステム。
【請求項１８】
前記ディスクエッジ衝突吸収面は，前記ディスクのエッジ部に向かって傾斜した傾斜面からなることを特徴とする，請求項１７に記載のヘッドパーキングランプシステム。
【請求項１９】
前記ディスクエッジ衝突吸収面は，前記ディスクのエッジ部に向かった凸曲面からなることを特徴とする，請求項１７に記載のヘッドパーキングランプシステム。
【請求項２０】
ヘッドパーキングランプシステムにおいて：
外側エッジ部に面取りが形成されたディスクと；
ベース部材に固設される固定部と；
前記固定部から前記ディスク側に延長形成され，前記ヘッドが装着されたアクチュエータの端部を支持する支持部と；
前記固定部から前記ディスク側に延長形成され，その先端部が前記ディスクの外周部の上面と底面それぞれに空間を隔ててオーバーラップされ，前記ディスクの上面と底面それぞれに対向するディスク対向面を有した延長部と；
前記ディスク対向面と前記ディスクのエッジ部との間に，前記ディスク対向面と前記ディスクそれぞれから所定間隔隔てて配置され，前記ディスクの振動時に，前記ディスクのエッジ部が接触することによって，前記ディスクの振動を制限し，衝撃を吸収する緩衝突起と；
を備えることを特徴とする，ヘッドパーキングランプシステム。
【発明の詳細な説明】
【技術分野】
【０００１】
本発明は，情報記憶装置に係り，特に，情報記憶装置の作動停止時に，読み取り／書き込みヘッドを安全にパーキングさせるための情報記憶装置のヘッドパーキング用ランプ，ヘッドパーキングランプシステムに関する。
【背景技術】
【０００２】
コンピュータの情報記憶装置のうち一つであるハードディスクドライブ（以下，ＨＤＤという。）は，読み取り／書き込みヘッドを使用してディスクに保存されたデータを再生するか，またはディスクにデータを記録する装置である。このようなＨＤＤにおいて，上記ヘッドは，回転するディスクの記録面から所定の高さだけ浮き上がった状態で，アクチュエータにより所望の位置に移動し，上記に示した読み取り／書き込み機能を実行する。
【０００３】
一方，ＨＤＤが作動していないとき，即ちディスクの回転が停止しているときに，上記ヘッドは，ディスクの記録面に衝突しないように，ディスクの記録面を外れた位置に移動し，パーキングされる。このようなヘッドパーキングシステムは，ＣＳＳ（Ｃｏｎｔａｃｔ Ｓｔａｒｔ Ｓｔｏｐ）方式とランプローディング方式とに大別される。ＣＳＳ方式は，ディスクの内周側にデータが記録されていないパーキングゾーンを設け，そのパーキングゾーンに上記ヘッドを接触させてパーキングさせる方式である。そして，ランプローディング方式は，ディスクの外側にランプを設置し，そのランプ上に上記ヘッドをパーキングさせる方式である。
【０００４】
上述したＣＳＳ方式によるヘッドパーキングシステムにおいては，ディスクの内周側に設けられたパーキングゾーンに，読み取り／書き込みヘッドが接触された状態でパーキングされる。従って，ディスクドライブの作動停止時，即ちディスクが回転していないときに外部から衝撃が加えられた場合には，この衝撃によりディスクとヘッドとが振動し，互いに衝突を起す。このような衝突によりヘッドが損傷され，ヘッドの読み取り／書き込み性能が顕著に低下するという問題点が発生する。
【０００５】
従って，携帯用のＨＤＤ，例えば２．５"，１"または０．８５"などのディスクを使用するモバイルディスクドライブには，ディスクドライブの非作動時にヘッドをディスクから離れたランプにパーキングさせ，ディスクとヘッドとの衝突によるヘッドの損傷を防止できるランプローディング方式のヘッドパーキングシステムが広く採用されている。
【０００６】
図１は，従来のランプローディング方式によるヘッドパーキングシステムが採用されたＨＤＤを概略的に示す平面図であり，図２は，図１に示したヘッドパーキング用ランプを拡大して示す斜視図であり，図３は，図２に示したランプの側面図である。
【０００７】
図１〜図３に示すように，ＨＤＤには，ベース部材１０上に設置されたスピンドルモータ１２と，上記スピンドルモータ１２に設置された少なくとも一つのディスク２０と，データの再生および記録のための読み取り／書き込みヘッドが搭載されたスライダー３５を，ディスク２０上の所定位置に移動させるためのアクチュエータ３０とが備えられる。
【０００８】
上記アクチュエータ３０は，ベース部材１０に設置されたピボット３１に回転可能に結合されたスイングアーム３２と，スイングアーム３２の一側端部に設置され，上記読み取り／書き込みヘッドが搭載されたスライダー３５をディスク２０の表面側に付勢されるように支持するサスペンション３３と，を有する。上記スライダー３５は，一般的にフレクシャー３４に付された状態でサスペンション３３により支持される。
【０００９】
そして，アクチュエータ３０には，スイングアーム３２を回転させるためのボイスコイルモータ（ＶＣＭ）が設けられる。上記ＶＣＭは，スイングアーム３２の他側端部に結合されるＶＣＭコイル３７と，ＶＣＭコイル３７に対面するように配置されたマグネット３８とによって構成される。このような構成を有したＶＣＭは，サーボ制御システムにより制御され，ＶＣＭコイル３７に入力される電流とマグネット３８により形成された磁場との相互作用により，フレミングの左手法則による方向にスイングアーム３２を回転させる。
【００１０】
即ち，ＨＤＤの電源がオンとなってディスク２０が図１中の矢印Ｄ方向に回転し始めたとき，ＶＣＭは，スイングアーム３２を逆時計回り方向（矢印Ａ方向）に回転させ，読み取り／書き込みヘッドが搭載されたスライダー３５をディスク２０の記録面上に移動させる。上記スライダー３５は，回転するディスク２０により発生する揚力により，ディスク２０の表面から所定高さ浮き上がり，このような状態で，スライダー３５に搭載されたヘッドは，ディスク２０の記録面に対してデータを再生するか，または記録する機能を実施する。
【００１１】
一方，ＨＤＤが作動しないとき，即ちディスク２０の回転が停止したときには，上記ヘッドがディスク２０の記録面に衝突しないように，上記ヘッドを，ディスク２０の記録面を外れた位置にパーキングさせる。このために，ディスク２０の外側には，ランプ４０が設置されており，サスペンション３３の端部には，上記ランプ４０と接触して上記ランプ４０に支持されるエンドタブ３６が設けられている。
【００１２】
上記ランプ４０は，ベース部材１０に固設される固定部４１，および上記固定部４１からディスク２０側に延長形成されて，ディスク２０の外周上面側と下面側それぞれに，ディスク２０とオーバーラップされ，かつ，エンドタブ３６を支持する支持面４３を有した支持部４２から構成される。上記支持面４３のディスク２０側の端部は，傾斜するように形成され，エンドタブ３６のローディングとアンローディングとが円滑に行われるようになっている。上記エンドタブ３６は，ランプ４０の支持面４３との接触面積を減らすために，一般的に支持面４３側にふくれている形状を有している。
【００１３】
ところで，読み取り／書き込みヘッドがランプ４０にパーキングされた状態であっても，ディスクドライブに加えられる外部衝撃や振動により，アクチュエータ３０が任意に回転して，上記読み取り／書き込みヘッドがランプ４０を抜け出してディスク２０の記録面に移動することがある。このような場合，上記読み取り／書き込みヘッドはディスク２０の記録面に接触し，読み取り／書き込みヘッドとディスク２０の記録面とが損傷することがある。従って，ディスク２０の回転が停止して，ヘッドがランプ４０にパーキングされた状態では，アクチュエータ３０が任意に回転しないように，一定位置にロッキングさせる必要がある。このために，アクチュエータラッチ５０が設けられている。
【００１４】
しかし，上述したような構造を有したランプローディング方式のＨＤＤにおいて，外部から衝撃が加えられる場合には，ディスク２０に振動が発生する。この際，ディスク２０に比較的強い衝撃が加えられると，図３に示すように，ディスク２０が上下に振動し，ディスク２０外周部の上面と底面とが，ランプ４０の支持部４２におけるディスク対向面４４に接触する。これにより，ディスク２０のデータ記録面と，この記録面に記録されたデータとが損傷されるという問題点が発生する。
【００１５】
一方，図４には，特許文献１に開示されたヘッドパーキング用ランプが示されている。図４に示すように，ランプ６０の支持部６２は，読み取り／書き込みヘッドを支持するための支持面６３，およびディスク２０に対向するディスク対向面６４を有しており，このディスク対向面６４は，傾斜するように形成されている。このように，支持部６２のディスク対向面６４が傾斜するように形成された場合，外部衝撃によるディスク２０の振動時においても，ディスク２０のエッジ部がディスク対向面６４に先に接触するので，ディスク２０の記録面は，ディスク対向面６４に接触しない。従って，ディスク２０の記録面がディスク対向面６４に衝突して，ディスク２０の記録面が損傷されるという問題点は防止される。
【００１６】
しかし，ディスク２０が支持部６２のディスク対向面６４に衝突すれば，比較的厚さの薄い支持部６２に衝撃が加えられる。このような衝撃が幾度も反復されれば，支持部６２が変形する。この場合には，支持部６２自体のヘッドローディング／アンローディング機能が低下するという問題点が発生する。
【００１７】
【特許文献１】特開２００２−２７９７４４号公報
【発明の開示】
【発明が解決しようとする課題】
【００１８】
本発明は，従来のヘッドのパーキング方法が有する上記問題点に鑑みてなされたものであり，本発明の目的は，外部衝撃によるディスクの記録面の損傷，およびヘッド支持部の変形を防止可能な，新規かつ改良された情報記憶装置のヘッドパーキング用ランプ，ヘッドパーキングランプシステムを提供することである。
【課題を解決するための手段】
【００１９】
上記課題を解決するために，本発明のある観点によれば，読み取り／書き込みヘッドを，ディスクから外れた位置にパーキングさせるための情報記憶装置のヘッドパーキング用ランプにおいて：ベース部材に固設される固定部と；上記固定部から上記ディスク側に延長形成され，その先端部が上記ディスクの外周部の上面と底面それぞれに空間を隔ててオーバーラップされ，上記ディスクの上面と底面それぞれに対向するディスク対向面を有した延長部と；を備え，上記延長部には，上記延長部のディスク対向面それぞれの，上記ディスクのエッジ部と対応する位置に突出形成され，上記ディスクの振動時に，上記ディスクのエッジ部が接触することによって，上記ディスクの振動を制限する突出面が設けられたことを特徴とする，情報記憶装置のヘッドパーキング用ランプが提供される。
【００２０】
上記突出面は，傾斜面からなるとしても良く，上記ディスクのエッジ部に向かった凸曲面からなるとしても良い。
【００２１】
上記ディスクのエッジ部には，面取りが形成されるとしても良い。この場合，上記突出面には，上記ディスクのエッジ部に形成された面取りが接触される。
【００２２】
ヘッドパーキング用ランプは，上記固定部から上記ディスク側に延長形成されて，上記ヘッドが装着されたアクチュエータの端部を支持する支持部をさらに備えるとしても良い。
【００２３】
上記支持部の支持面の先端部は，傾斜しているとしても良い。
【００２４】
上記課題を解決するために，本発明の別の観点によれば，読み取り／書き込みヘッドを，ディスクから外れた位置にパーキングさせるための情報記憶装置のヘッドパーキング用ランプにおいて：ベース部材に固設される固定部と；上記固定部から上記ディスク側に延長形成され，その先端部が上記ディスクの外周部の上面と底面それぞれに空間を隔ててオーバーラップされ，上記ディスクの上面と底面それぞれに対向するディスク対向面を有した延長部と；を備え，上記延長部には，上記延長部のディスク対向面と上記ディスクのエッジ部との間に，上記ディスク対向面と上記ディスクそれぞれから所定間隔隔てて配置され，上記ディスクの振動時に，上記ディスクのエッジ部が接触することによって，上記ディスクの振動を制限し，衝撃を吸収する緩衝突起が設けられたことを特徴とする，情報記憶装置のヘッドパーキング用ランプが提供される。
【００２５】
上記緩衝突起は，上記延長部から上記ディスク対向面と平行かつ板状に突き出るとしても良く，板スプリングの機能を有しているとしても良い。
【００２６】
上記緩衝突起のディスク対向面は，傾斜面からなるとしても良い。
【００２７】
ヘッドパーキング用ランプは，上記固定部から上記ディスク側に延長形成されて，上記ヘッドが装着されたアクチュエータの端部を支持する支持部をさらに備えるとしても良い。
【００２８】
上記支持部の支持面の先端部は，傾斜しているとしても良い。
【００２９】
上記課題を解決するために，本発明の別の観点によれば，読み取り／書き込みヘッドを，ディスクから外れた位置にパーキングさせるための情報記憶装置のヘッドパーキング用ランプにおいて：ベース部材に固設される固定部と；上記固定部から上記ディスク側に延長形成され，その先端部が上記ディスクの外周部の上面と底面それぞれに空間を隔ててオーバーラップされ，上記ヘッドが装着されたアクチュエータの端部を支持する支持面，および上記ディスクの上面と底面それぞれに対向するディスク対向面を有した支持部と；を備え，上記支持部には，上記支持部のディスク対向面と上記ディスクのエッジ部との間に，上記ディスク対向面と上記ディスクそれぞれから所定間隔隔てて配置され，上記ディスクの振動時に，上記ディスクのエッジ部が接触することによって，上記ディスクの振動を制限して衝撃を吸収する緩衝突起が設けられたことを特徴とする，情報記憶装置のヘッドパーキング用ランプが提供される。
【００３０】
上記緩衝突起は，上記支持部から上記ディスク対向面と平行かつ板状に突き出るとしても良く，板スプリングの機能を有しているとしても良い。
【００３１】
上記緩衝突起のディスク対向面は，傾斜面からなるとしても良い。
【００３２】
上記課題を解決するために，本発明の別の観点によれば，ヘッドパーキングランプシステムにおいて：外側エッジ部に面取りが形成されたディスクと；ベース部材に固設される固定部と；上記固定部から上記ディスク側に延長形成され，上記ヘッドが装着されたアクチュエータの端部を支持する支持部と；上記固定部から上記ディスク側に延長形成され，その先端部が上記ディスクの外周部の上面と底面それぞれに空間を隔ててオーバーラップされ，上記ディスクの上面と底面それぞれに対向するディスク対向面を有した延長部と；上記延長部のディスク対向面のそれぞれに，上記ディスクのエッジ部に近接するように形成されたディスクエッジ衝突吸収面と；を備えることを特徴とする，ヘッドパーキングランプシステムが提供される。
【００３３】
上記ディスクエッジ衝突吸収面は，上記ディスクのエッジ部に向かって傾斜した傾斜面からなるとしても良く，上記ディスクのエッジ部に向かった凸曲面からなるとしても良い。
【００３４】
上記課題を解決するために，本発明の別の観点によれば，ヘッドパーキングランプシステムにおいて：外側エッジ部に面取りが形成されたディスクと；ベース部材に固設される固定部と；上記固定部から上記ディスク側に延長形成され，上記ヘッドが装着されたアクチュエータの端部を支持する支持部と；上記固定部から上記ディスク側に延長形成され，その先端部が上記ディスクの外周部の上面と底面それぞれに空間を隔ててオーバーラップされ，上記ディスクの上面と底面それぞれに対向するディスク対向面を有した延長部と；上記ディスク対向面と上記ディスクのエッジ部との間に，上記ディスク対向面と上記ディスクそれぞれから所定間隔隔てて配置され，上記ディスクの振動時に，上記ディスクのエッジ部が接触することによって，上記ディスクの振動を制限し，衝撃を吸収する緩衝突起と；を備えることを特徴とする，ヘッドパーキングランプシステムが提供される。
【発明の効果】
【００３５】
以上説明したように本発明による情報記憶装置のヘッドパーキング用ランプによれば，外部衝撃によりディスクに振動が発生したとしても，ディスクのエッジ部がランプの延長部のディスク対向面に形成された突出面に先に接触するので，ディスクの記録面の損傷を防止できる。また，ディスクのエッジ部が，ヘッドを支持する支持部ではなく，延長部に接触することによって，ディスクと支持部との衝突による支持部の変形が発生しない。
【００３６】
また，ランプの支持部に緩衝突起を形成した場合，ディスクから支持部に伝達される衝撃が緩衝突起により緩和されるので，このような衝撃によるランプの支持部の変形が防止される。従って，安定的かつ信頼性があるヘッドのローディング／アンローディングが維持されうる。
【発明を実施するための最良の形態】
【００３７】
以下に添付図面を参照しながら，本発明よる情報記憶装置のヘッドパーキング用ランプの好適な実施の形態について詳細に説明する。なお，本明細書および図面において，実質的に同一の機能構成を有する構成要素については，同一の符号を付することにより重複説明を省略する。
【００３８】
図５は，本発明の第１実施形態によるヘッドパーキング用ランプが設けられたＨＤＤを部分的に示す平面図であり，図６は，図５に示したランプを拡大して示す斜視図であり，図７は，図６に示したランプの延長部の垂直断面図である。
【００３９】
図５〜図７に示すように，本発明の第１実施形態によるヘッドパーキング用ランプ１００は，ディスク２０の回転停止時に，読み取り／書き込みヘッドを，上記ディスク２０から外れた位置にパーキングさせるためのものであって，ＨＤＤのような情報記憶装置に採用される。具体的に，上記ランプ１００は，ディスク２０の外側に設置され，ディスクドライブの作動停止時に，アクチュエータ３０のサスペンション３３の端部に延長形成されたエンドタブ３６が，上記ランプ１００の支持部１２０の支持面１２２に接触し，支持面１２２に支持される。
【００４０】
本発明の第１実施形態によるランプ１００は，ＨＤＤのベース部材１０に固定される固定部１１０と，上記アクチュエータ３０の端部，即ちエンドタブ３６を支持する支持部１２０と，上記固定部１１０からディスク２０の方に延長形成された延長部１３０とを備え，上記延長部１３０には，ディスク２０の振動を制限する突出面１３５が設けられる。
【００４１】
上記固定部１１０は，ＨＤＤのベース部材１０に固定スクリュー１１２またはその他の手段により固設される。また，上記固定部１１０は，ディスク２０の外側のエッジ部に隣接して配置される。
【００４２】
上記支持部１２０は，上記固定部１１０からディスク２０側に延長形成され，その先端部１４０，即ちディスク２０側の端部がディスク２０の外周部の上面と底面それぞれに空間を隔ててオーバーラップ（面が重なるように形成）される。そして，上記支持部１２０は，上記ディスク２０の回転停止時に，上記ヘッドが装着されたアクチュエータ３０の端部，即ちエンドタブ３６を接触支持する支持面１２２を有する。上記支持面１２２のそれぞれの先端部は，傾斜するように形成され，エンドタブ３６のローディングとアンローディングとが円滑に行われる。また，上記支持部１２０の先端部１４０は，ディスク２０との接触を避けるため，かつ，エンドタブ３６の移動空間を確保するために，比較的薄い。
【００４３】
上記延長部１３０は，上記固定部１１０からディスク２０側に延長形成されて，その先端部１５０，即ちディスク２０側の端部がディスク２０の外周部の上面と底面それぞれに空間を隔ててオーバーラップされる。そして，上記延長部１３０は，上記ディスク２０の上面と底面それぞれに対向するディスク対向面１３３を有する。また，上記延長部１３０の先端部１５０は，エンドタブ３６の移動空間を確保する必要がないので，上記支持部１２０の先端部１４０に比べて，厚く形成することができる。
【００４４】
上記突出面１３５は，上記延長部１３０のディスク対向面１３３のそれぞれに形成される。このような突出面１３５は，外部からの衝撃によるディスク２０の振動を制限する役割を担う。具体的に，上記突出面１３５は，上記ディスク対向面１３３における，それぞれのディスク２０のエッジ部と対応する位置に突出形成される。また，上記突出面１３５は，傾斜面からなる。
【００４５】
かかる構成によると，外部衝撃によりディスク２０が振動するとき，ディスク２０のエッジ部が突出面１３５に先に接触する。具体的に，上記ディスク２０のエッジ部には，一般的に面取り（ｃｈａｍｆｅｒ）２２が形成されるので，ディスク２０に振動が発生すれば，この面取り２２のエッジが上記突出面１３５に衝突する。従って，ディスク２０の振動が制限されると共に，ディスク２０のデータ記録面が突出面１３５およびディスク対向面１３３へ直接接触することが防止されるので，このような衝突によるディスク２０の記録面の損傷が発生しない。
【００４６】
また，本発明の実施形態によると，上述したように，ディスク２０の振動時に，ディスク２０のエッジ部は，延長部１３０に設けられた突出面１３５に衝突する。この際，上記延長部１３０は，支持部１２０に比べて厚いので，ディスク２０との衝突による変形がほとんど発生しない。また，本実施形態によると，ディスク２０の振動時に，ディスク２０のエッジ部は，支持部１２０には衝突しない。従って，ディスク２０と支持部１２０との反復的な衝突により支持部１２０が変形し，支持部１２０のヘッドローディング／アンローディング機能が低下するという従来の問題点が発生しない。
【００４７】
一方，上記した構成を有した固定部１１０，支持部１２０および延長部１３０は，プラスチック射出成形により一体に形成されうる。従って，本実施形態によるランプ１００が全体的に一つの部品をなすので，その取り扱いや組立が簡便になる。また，かかる場合に限られず，上記固定部１１０，支持部１２０および延長部１３０をそれぞれ別途に製造した後，それらを所定の結合手段により結合させることによって，上記ランプ１００を構成することも可能である。
【００４８】
図８および図９には，図６に示したランプの変形例が示されている。
【００４９】
まず，図８に示すように，上記延長部１３０のディスク対向面１３３におけるそれぞれのディスク２０のエッジ部に対応する位置には，突出面１３５´が形成され，この突出面１３５´は，ディスク２０のエッジ部に向かった凸曲面からなる。
【００５０】
このように，上記突出面１３５´が凸曲面からなる場合には，ディスク２０の振動時に，ディスク２０のエッジ部に形成された面取り２２部が，上記突出面１３５´に接触する。従って，ディスク２０と突出面１３５´との衝突により，延長部１３０に加えられる衝撃量が減少され，このような衝突によるディスク２０のエッジ部の磨耗が抑制されうる。
【００５１】
次に，図９に示すように，上記延長部１３０には，ディスク対向面１３３のそれぞれに突出形成される突出面１３５，１３５´の代りに，上記ディスク２０の振動を制限するだけでなく，衝撃を吸収できる緩衝突起１３６が設けられうる。
【００５２】
上記緩衝突起１３６は，上記延長部１３０のディスク対向面１３３とディスク２０のエッジ部との間に配置され，上記ディスク対向面１３３とディスク２０それぞれとから所定間隔が離隔される。具体的に，上記緩衝突起１３６は，ディスク対向面１３３と所定間隔が離隔された状態で，上記延長部１３０からディスク対向面１３３と平行に板状に突き出すことが可能である。
【００５３】
上記緩衝突起１３６には，外部衝撃による上記ディスク２０の振動時に，ディスク２０のエッジ部が接触し，これにより，ディスク２０の振動が制限されうる。特に，上記緩衝突起１３６は，その形状により，板スプリングの機能を有するので，ディスク２０から加えられる衝撃を吸収する役割も行うようになる。
【００５４】
また，上記緩衝突起１３６のそれぞれのディスク対向面１３７は，傾斜面からなることが望ましい。この場合，ディスク２０のエッジ部のみが，緩衝突起１３６のそれぞれのディスク対向面１３７に接触するので，ディスク２０の記録面の損傷をさらに確実に防止できる。
【００５５】
図１０は，本発明の第２実施形態によるヘッドパーキング用ランプを拡大して示す斜視図である。
【００５６】
図１０に示すように，本発明の第２実施形態によるヘッドパーキング用ランプ２００は，ベース部材１０に固設される固定部２１０と，アクチュエータ３０の端部，即ちエンドタブ３６を支持する支持部２２０とを備え，上記支持部２２０には，緩衝突起２２６が設けられている。即ち，本発明の第２実施形態によるヘッドパーキング用ランプ２００は，第１実施形態の延長部１３０を備えていない。従って，延長部１３０に設けられた緩衝突起１３６の代りに，ディスク２０の振動を制限し，衝撃を吸収できる緩衝突起２２６が設けられる。
【００５７】
上記固定部２１０は，上述した第１実施形態のように，ディスク２０の外側のエッジ部に隣接した位置に，固定スクリュー２１２によりベース部材１０に固設される。
【００５８】
上記支持部２２０は，上記固定部２１０からディスク２０側に延長形成されて，その先端部２４０，即ちディスク２０側の端部が，ディスク２０の外周部の上面と底面それぞれに空間を隔ててオーバーラップされる。そして，上記支持部２２０は，上記ディスク２０の回転停止時に，上記ヘッドが装着されたアクチュエータ３０の端部，即ちエンドタブ３６を接触支持する支持面２２２，および上記ディスク２０の上面と底面それぞれに対向するディスク対向面２２３を有する。
【００５９】
上記緩衝突起２２６は，上記支持部２２０のディスク対向面２２３とディスク２０のエッジ部との間に配置され，上記ディスク対向面２２３とディスク２０それぞれから所定間隔が離隔されている。具体的に，上記緩衝突起２２６は，ディスク対向面２２３と所定間隔ほど離隔された状態で，上記支持部２２０からディスク対向面２２３と平行に板状に突き出しても良い。そして，図９に示した変形例のように，上記緩衝突起２２６のそれぞれのディスク対向面は，傾斜面とすることができる。
【００６０】
上記緩衝突起２２６には，外部衝撃による上記ディスク２０の振動時に，ディスク２０のエッジ部が接触し，これにより，ディスク２０の振動が制限されうる。特に，上記緩衝突起２２６は，その形状により板スプリングの機能を有するので，ディスク２０から加えられる衝撃を吸収する役割も担いうる。このように，ヘッドを支持するランプ２００の支持部２２０に緩衝突起２２６を形成することにより，ディスク２０から支持部２２０に伝達される衝撃が緩和され，さらに，このような衝撃によるランプ２００の支持部２２０の変形が防止される。従って，安定的かつ信頼性があるヘッドのローディング／アンローディングが維持されうる。
【００６１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６２】
本発明は，外部衝撃によるディスクの記録面の損傷，およびヘッドの支持部の変形を防止できる情報記憶装置のヘッドパーキング用ランプにかかわり，例えばＨＤＤに適用可能である。
【図面の簡単な説明】
【００６３】
【図１】従来のランプローディング方式のヘッドパーキングシステムが採用されたＨＤＤを概略的に示す平面図である。
【図２】図１に示したヘッドパーキング用ランプを拡大して示す斜視図である。
【図３】図２に示したランプの側面図である。
【図４】従来のヘッドパーキング用ランプの他の例を示す側面図である。
【図５】本発明の第１実施形態によるヘッドパーキング用ランプが設けられたＨＤＤを部分的に示す平面図である。
【図６】図５に示したランプを拡大して示す斜視図である。
【図７】図６に示したランプの延長部の垂直断面図である。
【図８】図６に示したランプの第１変形例を示すランプの延長部の垂直断面図である。
【図９】図６に示したランプの第２変形例を示すランプの延長部の垂直断面図である。
【図１０】本発明の第２実施形態によるヘッドパーキング用ランプを拡大して示す斜視図である。
【符号の説明】
【００６４】
２０    ディスク
２２    面取り
１１０  固定部
１３０  延長部
１３３  ディスク対向面
１３５  突出面
１５０  先端部
【図１】
2006012405.tif 000003
【図２】
2006012405.tif 000004
【図３】
2006012405.tif 000005
【図４】
2006012405.tif 000006
【図５】
2006012405.tif 000007
【図６】
2006012405.tif 000008
【図７】
2006012405.tif 000009
【図８】
2006012405.tif 000010
【図９】
2006012405.tif 000011
【図１０】
2006012405.tif 000012